(57)【要約】【課題】所望の色を容易に現出させることができると共に、色変更の過程において現出される色に関する制御が可能であり、不所望の照明色の出現を防ぐことを可能とする。【解決手段】制御信号に応じて照明光の色を変更するカラーチェンジ機構２５と；画像を表示するためのモニタ１１と；モニタ１１に色度図画像を表示させる表示制御手段４１と；モニタ１１に表示された色度図画像の所要点の位置情報を指示入力するためのマウス１３と；マウス１３により入力された所要点の位置情報に対応する表色画像上の色を実現させる制御情報をカラーチェンジ機構２５側へ送出する色制御手段４２と；を具備する。【選択図】図２
2008269931.tif 000002
【特許請求の範囲】
【請求項１】
制御信号に応じて照明光の色を変更するカラーチェンジ手段と；
画像を表示するための表示手段と；
表示手段に表色画像を表示させる表示制御手段と；
表示手段に表示された表色画像の所要点の位置情報を指示入力するための位置入力手段と；
位置入力手段により入力された所要点の位置情報に対応する表色画像上の色を実現させる制御信号をカラーチェンジ手段へ送出する色制御手段と；
を具備することを特徴とするカラーチェンジ装置。
【請求項２】
位置入力手段により入力された複数の位置情報或いは位置情報に対応する表色画像上の色に対応する情報を記憶するための記憶手段と；
記憶手段への記憶指示を受けて位置入力手段により入力される複数の所要点に対応する情報を記憶手段へ記憶する記憶制御手段と；を具備し、
色制御手段は指示に応じて記憶手段に記憶された情報に基づき制御信号をカラーチェンジ手段へ送出することを特徴とする請求項１に記載のカラーチェンジ装置。
【請求項３】
位置入力手段により入力された複数の位置情報間を補間する補間手段が備えられていることを特徴とする請求項２に記載のカラーチェンジ装置。
【請求項４】
表色画像は、色度図画像であることを特徴とする請求項１ないし３のいずれか１項に記載のカラーチェンジ装置。
【発明の詳細な説明】
【技術分野】
【０００１】
この発明は、劇場やスタジオなどの演出空間の照明色を制御するためのカラーチェンジ装置に関するものである。
【背景技術】
【０００２】
従来のこの種の装置においては、シアン、マゼンタ、イエローのフィルムなどを選択的に重ね合せて、白色光源から射出された光を上記重ねられたフィルタに通過させて着色光を得て、これを照明光として用いるようにしている。
【０００３】
照明光の色変更に関しては、例えば、特許文献１に記載されているように、シアン、マゼンタ、イエローのフィルムの重ね具合を調整し、また、いずれのフィルムを選択するかを調整することにより対応している。
【特許文献１】特開昭６３−２５７１０３号公報
【０００４】
ここで、例えばシアン、マゼンタ、イエローの３色を、０〜２５５（１バイト）の数値により表現し、３色の数値により色を指定して重ね具合の制御を行って色制御する手法を採用した場合には、所望の色を引き出すための数値の決定が難しく、実際上は試行錯誤を繰り返す必要があり、多大な時間を要するという問題あった。
【０００５】
また、例えば、夜のシーンから夜が明けてゆくような２色をクロスチェンジさせる場合には、シアン→イエロー→白となるようにシーンの設定を行うことになる。この場合においては、当初（シアン、イエロー）＝（２５５，０）のシアンのみが光路にある状態から、（シアン、イエロー）＝（０，２５５）のイエローのみが光路にある状態へ移行する必要があり、このとき、数値変化の割合を同じにして数値に変化を加えてゆくと、途中に白色に近い状態が現出される。このような場合には、数値変化の割合を異ならせるようにする必要があり、作業に多くの時間と労力を有するという問題があった。
【発明の開示】
【発明が解決しようとする課題】
【０００６】
本発明は、上記のような従来のカラーチェンジ装置が有している問題点を解決せんとしてなされたもので、その目的は、所望の色を容易に現出させることができると共に、色変更の過程において現出される色に関する制御が可能であり、不所望の照明色の出現を防ぐことが可能なカラーチェンジ装置を提供することである。
【課題を解決するための手段】
【０００７】
本発明に係るカラーチェンジ装置は、制御信号に応じて照明光の色を変更するカラーチェンジ手段と；画像を表示するための表示手段と；表示手段に表色画像を表示させる表示制御手段と；表示手段に表示された表色画像の所要点の位置情報を指示入力するための位置入力手段と；位置入力手段により入力された所要点の位置情報に対応する表色画像上の色を実現させる制御信号をカラーチェンジ手段へ送出する色制御手段と；を具備することを特徴とする。
【０００８】
カラーチェンジ手段は、例えば、シアン、マゼンタ、イエローのダイクロイックにより蒸着したガラスを重ね合せて、光芒を通過させ、それぞれのガラスを中央から割れるように開く制御を可能な構成を有し、この開き具合により色の調整を行うものを挙げることができる。また、フィルタの交換によるもの、フィルムの巻き取り移動などによるもの、ＬＥＤや液晶によるものなど各種の構成を許容する。
【０００９】
表色画像における「表色」は、色感覚の定量的な測定及び評価の手法である「測色」により得られた測定値によって、色を定量的に表示することを意味し、「表色画像」は色を定量的に表示する画像であり、国際照明委員会におるＣＩＥ色度図を代表として挙げることができる。「表色画像」としては、円環状や立体的なその他の表色画像を許容する。
【００１０】
位置入力手段としては、表示手段に表示された画像の位置を指示するマウスやペンライトなどのポインティングデバイス、タッチ入力画面及びこの画面をタッチするペンや指などを挙げることができる。
【００１１】
本発明に係るカラーチェンジ装置は、位置入力手段により入力された複数の位置情報或いは位置情報に対応する表色画像上の色に対応する情報を記憶するための記憶手段と；記憶手段への記憶指示を受けて位置入力手段により入力される複数の所要点に対応する情報を記憶手段へ記憶する記憶制御手段と；を具備し、色制御手段は指示に応じて記憶手段に記憶された情報に基づき制御信号をカラーチェンジ手段へ送出することを特徴とする。
【００１２】
本発明に係るカラーチェンジ装置は、位置入力手段により入力された複数の位置情報間を補間する補間手段が備えられていることを特徴とする。
【００１３】
本発明に係るカラーチェンジ装置においては、表色画像は、色度図画像であることを特徴とする。
【発明の効果】
【００１４】
本発明に係るカラーチェンジ装置は、表示手段に表色画像を表示させ、位置入力手段により入力された所要点の位置情報に対応する表色画像上の色を実現させる制御信号をカラーチェンジ手段へ送出するので、実現したい色を画面上において指示するだけで、対応する表色画像上の色が実現され、試行錯誤の時間が不要であると共に不所望の色を避けてカラーチェンジすることが容易であり、極めて便利なものである。
【００１５】
本発明に係るカラーチェンジ装置は、位置入力手段により入力された複数の位置情報或いは位置情報に対応する表色画像上の色に対応する情報を記憶し、記憶した情報に基づき制御信号をカラーチェンジ手段へ送出して色を実現するので、演目などに合せて予め照明シーンを記憶しておくことができ、適切な照明の進行を実現することができる。
【００１６】
本発明に係るカラーチェンジ装置は、位置入力手段により入力された複数の位置情報間を補間することができるので、幾つかのポイントとなる色に対応する位置情報を入力することにより補間を行わせて、必要なカラーチェンジを実現することができる。
【００１７】
本発明に係るカラーチェンジ装置では、表色画像が色度図画像であるため、ポピュラーな表色画像により色指定を行うことができ、使い勝手の向上が図られる。
【発明を実施するための最良の形態】
【００１８】
以下添付図面を参照して、本発明に係るカラーチェンジ装置の実施例を説明する。各図において、同一の構成要素には同一の符号を付して重複する説明を省略する。カラーチェンジ装置は、図１に示されるように、制御卓１０と照明器具２０とを主な構成要素としている。
【００１９】
照明器具２０は、制御筐体部２１と灯体２２がアーム２３を介して結合された構成を備える。灯体２２には、白色光源であるランプ３０が設けられ、ランプ３０から出射された光が集光レンズ２９により平行光とされ、光路変更部２７により光路の変更がなされる。光路変更部２７から出射窓２４へ到る光路には、カラーチェンジ機構２５を含む照明機構が配置されている。
【００２０】
カラーチェンジ機構２５は、例えば、シアン、マゼンタ、イエローのダイクロイックにより蒸着したガラスを重ね合せて、光芒を通過させ、それぞれのガラスを中央から割れるように開く制御が可能であり、この開き具合を図示せぬモータにより調整するように構成されている。
【００２１】
制御筐体部２１には、灯体２２の方向の制御や上記カラーチェンジ機構２５の制御などを行う制御部が設けられ、シアン、マゼンタ、イエローのダイクロイックにより蒸着した各２枚のガラスにおける開き具合を調整するモータに制御信号を与える。
【００２２】
制御卓１０には、ＬＣＤなどのモニタ１１と各種の制御入力を行うためのツマミやレバーにより構成される入力部１２が設けられている他、表示手段であるモニタ１１に表示された画像の所要点の位置情報を指示入力するための位置入力手段を構成するマウス１３が接続されている。
【００２３】
制御卓１０及び照明器具２０の要部ブロック図を、図２に示す。制御卓１０には、コンピュータにより構成される制御部４０が備えられ、制御部４０には、表示制御手段４１、色制御手段４２、記憶手段４３、記憶制御手段４４、補間手段４５が備えられている。
【００２４】
表示制御手段４１は、モニタ１１にＣＩＥ色度図画像をカラー表示させるものである。色制御手段４２は、位置入力手段であるマウス１３により入力された所要点の位置情報に対応する表色画像上の色を実現させる制御信号をカラーチェンジ機構２５を含む照明器具２０へ送出するものである。ここでは、色制御手段４２から送出される制御信号は、制御筐体部２１内の照明制御部２８に取り込まれる。
【００２５】
記憶手段４３は、メモリにより構成され、マウス１３により入力された複数の位置情報或いは位置情報に対応する色度図画像上の色に対応する情報を記憶するものである。記憶制御手段４４は、入力部１２から記憶手段４３への記憶指示を受けて、マウス１３により入力される複数の所要点に対応する情報（複数の位置情報或いは位置情報に対応する色度図画像上の色に対応する情報）を記憶手段へ記憶するものである。補間手段４５は、マウス１３により入力された複数の位置情報間を補間するように機能する。
【００２６】
上記の構成において、色制御手段４２は、例えば、図３に示すような位置情報に、シアン、マゼンタ、イエローのレベルをそれぞれ２５６階調で表した色レベル情報を対応させた変換テーブルを有し、位置情報を色レベル情報へ変換してこれを制御信号として送出する。
【００２７】
照明制御部２８では、図４に示されるようなシアン、マゼンタ、イエローのレベルによる色レベル情報をシアン、マゼンタ、イエローのガラスを制御するモータの駆動制御情報（例えば、ステップ数など）に変換するテーブルを有し、これを用いて変換を行い、この情報に対応する駆動制御信号をカラーチェンジ機構２５に送り、対応する色の射出光を実現する。勿論、色制御手段４２において、メモリテーブルなどにより、位置情報をシアン、マゼンタ、イエローのガラスを制御するモータの駆動制御情報（例えば、ステップ数など）に変換して照明制御部２８を送り、照明制御部２８では、この情報に対応する駆動制御信号をカラーチェンジ機構２５に送るように構成してもよい。
【００２８】
以上の通りに構成されるカラーチェンジ装置においては、制御部４０が図５、図６に示されるフローチャートに対応する処理により図１の各手段を実現するので、このフローチャートに基づき動作説明を行う。図５のフローチャートの処理は入力部１２から照明シーン作成の指示があった場合の処理であり、図６のフローチャートの処理は入力部１２から照明シーン再現の指示があった場合の処理である。
【００２９】
入力部１２から照明シーン作成の指示があると、制御部４０は、色度図をモニタ１１に表示する（Ｓ１１）。色度図はカラーで表示され、マウス１３を操作してマウスポインタをモニタ１１の画面上で移動させて入力を行い、例えば図７に示すように色変化線Ｌａを入力することができる。図７における座標点Ｐ１は各色レベルを２５６階調により表して、（シアン、マゼンタ、イエロー）＝（１００，０，２２０）であり、座標点Ｐ２は（シアン、マゼンタ、イエロー）＝（１０，０，０）である。
【００３０】
色度図がモニタ１１に表示されると、マウス１３の操作による座標入力の有無を検出し（Ｓ１２）、入力があった場合にモニタ１１に入力された座標点を例えば黒で表示し、この入力座標対応の色レベルを図３に示した変換テーブルから求めて照明制御部２８へ送出する（Ｓ１３）。これにより、照明制御部２８では、図４に示されるような変換テーブルを用いて変換を行い、この情報に対応する駆動制御信号をカラーチェンジ機構２５に送り、対応する色の射出光を実現する。図４の例では、駆動制御情報がシアン、マゼンタ、イエローに対応するガラスの開度を制御するステッピングモータのステップ数に対応し、色レベル情報を３種のステップ数に変換し、現在のステッピングモータのステップ数と比較して差分に対応するステップ数のパルス（必要な場合には正逆の回転制御信号）を与えて回転を行わせる。
【００３１】
ステップＳ１３に続いて、記憶指示がこれより前に入力部１２から入力されているかを検出し（Ｓ１４）、記憶指示が出されていなければ、処理の終了が入力部１２から入力されているかを検出し（Ｓ１５）、終了の入力がなければステップＳ１１へ戻って処理を続ける。
【００３２】
ステップＳ１４において記憶の指示が出されていることが検出されると、時刻の入力を促す表示をモニタ１１に行い（Ｓ１６）、入力の有無を検出して（Ｓ１７）、入力がなければ色レベル情報のみ（或いは座標情報）を記憶手段４３に記憶する（Ｓ１８）。一方、時刻の入力がステップＳ１７において検出されると、この時刻情報と色レベル情報（或いは座標情報）を記憶手段４３に記憶する（Ｓ１９）。記憶手段４３への色レベル情報などの記憶は、記憶の指示と共に入力部１２から入力される演目などの識別情報に対応して記憶される。
【００３３】
なお時刻情報は、図７の例ではＰ３が最初の色で時刻を「００分００秒」とし、次のＰ４における色となる時刻を例えば「０１分３０秒」などとして入力する。この結果、Ｐ３からＰ４へ色をクロスチェンジする場合には１分３０秒かけることになる。また、同一の色で所望時間の照明を行う場合には、第１回目の座標入力と第２回目の座標入力においてそれぞれ時刻を入力する。
【００３４】
上記図７に示すように２点間を直線的に色遷移させると、白色のポイントＷを通過することになる。そこで、夜から夜が明けてゆくようなシーンに対応する照明の場合には、白色のポイントＷを避けて図８に示すようなＰ５とＰ６を結ぶ下側に凸の色変化線Ｌｂを入力すればよい。この場合には、モニタ１１に表示されている色度図はカラーであるため、所望の色を辿るように色変化線Ｌｂを入力してゆくことができるばかりでなく、カラーチェンジ機構２５の制御が行われて実際の色による照明光が出射されるので、所望の色の照明光が出射されるかを検証できる。
【００３５】
ステップＳ１９に続いて制御部４０は、これより前に入力部１２から補間の指示が入力されているかを検出し（Ｓ２０）、補間の指示が入力されていなければ、処理の終了が入力部１２から入力されているかを検出し（Ｓ２２）、終了の入力がなければステップＳ１１へ戻って処理を続ける。
【００３６】
一方、ステップＳ２０において補間の指示が入力されていることを検出すると、前回の入力に係る座標情報との間において例えば直線により（また、入力された曲線により）補間を行い、補間処理により得られた座標情報に対応する色レベル情報（或いは座標情報）を記憶手段４３に記憶し（Ｓ２１）、ステップＳ２２へ進む。
【００３７】
入力部１２から照明シーン再生の指示があると、制御部４０は、演目などの一連の照明シーンを特定する識別情報を受け取る（Ｓ３１）。この前に、モニタ１１に記憶手段４３に記憶された識別情報をリストにして表示し、マウス１３による操作などにより選択させるようにしてもよい。
【００３８】
制御部４０は、受け取った識別情報に対応して記憶されている色レベル情報と時刻情報を少なくとも第２番目まで読み出し（Ｓ３２）、当初は直ちに色レベル情報を照明制御部２８へ送出する（Ｓ３３）。これにより、照明制御部２８では、図４に示されるような変換テーブルを用いて変換を行い、この情報に対応する駆動制御信号をカラーチェンジ機構２５に送り、対応する色の射出光を実現する。
【００３９】
次に、時刻情報対応の時間経過を検出し（Ｓ３４）、時間経過となると次の色レベル情報を照明制御部２８へ送出する（Ｓ３５）。次に記憶されている色レベル情報と時刻情報の有無を検出して（Ｓ３６）、未読み出しがあれば次に記憶されている色レベル情報と時刻情報を読み出し（Ｓ３７）、送信する色レベル情報が残っているかを検出して（Ｓ３８）、残っている場合にはステップＳ３４へ戻って処理を続け、送信する色レベル情報がなくなるとエンドとなる。斯して、色度図を用いて所謂仕込みを行った情報に基づき照明シーンが再現される。
【図面の簡単な説明】
【００４０】
【図１】本発明に係るカラーチェンジ装置の実施例を示す全体構成を示す図。
【図２】本発明に係るカラーチェンジ装置の実施例を示す要部ブロック図。
【図３】本発明に係るカラーチェンジ装置の実施例に備えられる変換テーブルを示す図。
【図４】本発明に係るカラーチェンジ装置の実施例に備えられる変換テーブルを示す図。
【図５】本発明に係るカラーチェンジ装置の実施例の動作を示すフローチャート。
【図６】本発明に係るカラーチェンジ装置の実施例の動作を示すフローチャート。
【図７】本発明に係るカラーチェンジ装置の実施例を用いた入力時のモニタにおける表示例を示す図。
【図８】本発明に係るカラーチェンジ装置の実施例を用いた入力時のモニタにおける表示例を示す図。
【符号の説明】
【００４１】
１０  制御卓
１１  モニタ
１２  入力部
１３  マウス
２０  照明器具
２１  制御筐体部
２２  灯体
２３  アーム
２４  出射窓
２５  カラーチェンジ機構
２７  光路変更部
２８  照明制御部
３０  ランプ
４０  制御部
４１  表示制御手段
４２  色制御手段
４３  記憶手段
４４  記憶制御手段
４５  補間手段
【図２】
2008269931.tif 000003
【図３】
2008269931.tif 000004
【図４】
2008269931.tif 000005
【図５】
2008269931.tif 000006
【図６】
2008269931.tif 000007
【図７】
2008269931.tif 000008
【図８】
2008269931.tif 000009
【図１】
2008269931.tif 000010